(57)【特許請求の範囲】
【請求項１】
対応する雄型管継手部材に取り外し可能に連結される雌型管継手部材であって、
前端開口、後端開口、該前端開口から後方に延在する挿入通路、及び該挿入通路から後方に延在して該後端開口にまで至る雌側流体通路を有する筒状の継手本体と、
該継手本体内に配置され、該雌側流体通路と該雄型管継手部材の雄側流体通路とを密封して連通するように該雄型管継手部材と密封係合する密封係合部と、
該継手本体内において該継手本体の長手軸線の方向で変位可能に配置された施錠子保持部材と、
該施錠子保持部材に保持され、該施錠子保持部材の内周面から内側に部分的に突出して該挿入通路内に挿入された雄型管継手部材が該挿入通路から抜け出るのを係止する施錠位置と、該施錠位置よりも該継手本体の径方向で外側に位置し該雄型管継手部材に対する係止を解除する施錠解除位置との間で変位可能とされた施錠子と、
該継手本体に対して該長手軸線の方向で変位可能に配置されて該施錠子を該施錠位置に拘束する施錠子拘束部材であって、該施錠子を該施錠位置に拘束した状態において、該施錠子に係止された雄型管継手部材が該密封係合部に密封係合していない仮連結位置から後方に変位して該施錠子を後方に押して該施錠子を介して該雄型管継手部材を後方に変位させて該雄型管継手部材を該密封係合部と密封係合した状態とする連結完了位置にまで変位可能とされた施錠子拘束部材と、
該継手本体に取り付けられ、該施錠子拘束部材を該仮連結位置と該連結完了位置との間で変位させる操作部材と、
を備え、
該操作部材が、該継手本体に枢動可能に取り付けられた操作レバーと、該操作レバーの枢動軸線から該枢動軸線の放射方向外側に離れた位置で該操作レバーに枢動可能に接続された第１端、及び該施錠子拘束部材に枢動可能に接続された第２端を有するリンク部材と、を備え、該操作レバーを所定の回転方向に回転操作することによって該リンク部材の該第２端が後方に変位して該施錠子拘束部材を該仮連結位置から該連結完了位置に変位させるようにされた、雌型管継手部材。
【請求項２】
該操作レバーを該施錠子拘束部材が該仮連結位置から該連結完了位置に変位するまで該所定の回転方向に回転操作したときに、該リンク部材の該操作レバーに対する枢動軸線が、該操作レバーの該継手本体に対する枢動軸線と該リンク部材の該施錠子拘束部材に対する枢動軸線とを通る平面を超えて該平面の反対側に至るようにされていて、該連結完了位置にある該施錠子拘束部材に前方への力が作用したときに、該操作レバーに該所定の回転方向に向かう力が作用するようにされた、請求項１に記載の雌型管継手部材。
【請求項３】
該施錠子拘束部材が、該仮連結位置から前方に変位して施錠子が該施錠解除位置に変位することを許容する施錠子解放位置に変位可能とされており、
該操作レバーを所定の回転方向に回転操作することによって該リンク部材の該第２端を前方に変位させて、該施錠子拘束部材を、該連結完了位置から該仮連結位置に変位させ、さらに該所定の回転方向に回転操作することにより該施錠解除位置にまで変位させるようにされた、請求項１又は２に記載の雌型管継手部材。
【請求項４】
該施錠子保持部材が該施錠子拘束部材に対して後方に変位したときに該施錠子拘束部材による該施錠子の拘束が解除されて、該施錠子が該施錠解除位置に変位することが許容されるようにされた、請求項１乃至３のいずれか一項に記載の雌型管継手部材。
【請求項５】
該継手本体が、外側筒状部材と、該外側筒状部材内において該外側筒状部材に対して該長手軸線の方向で変位可能に配置された内側筒状部材と、該内側筒状部材を該外側筒状部材に対して前方に付勢するスプリングとを有し、
該密封係合部が該内側筒状部材に配置されている、請求項１乃至４のいずれか一項に記載の雌型管継手部材。
【請求項６】
該施錠子保持部材を前方に付勢して該施錠子を該施錠子拘束部材に押しつけるようにするスプリングをさらに備える、請求項１乃至５のいずれか一項に記載の雌型管継手部材。
【請求項７】
請求項１乃至６のいずれか一項に記載の雌型管継手部材と、
該雌型管継手部材に取り外し可能に連結される雄型管継手部材と、
を備える管継手。
【請求項８】
該雄型管継手部材が、該雌側流体通路と流体連通する雄側流体通路を開閉する弁体を有しており、
該施錠子拘束部材が該仮連結位置にあって該雄型管継手部材が該密封係合部に密封係合していないときには、該弁体が該雄側流体通路を閉止する閉止位置となり、
該施錠子拘束部材が該連結完了位置に変位して該雄型管継手部材が該密封係合部に密封係合したときには、該雌型管継手部材が該弁体を押して該弁体が該雄側流体通路を開放する開放位置に変位するようにされた、請求項７に記載の管継手。
【発明の詳細な説明】
【技術分野】
【０００１】
本発明は、雌型管継手部材、及び雌型管継手部材とそれに取り外し可能に連結される雄型管継手部材とからなる管継手に関する。
【背景技術】
【０００２】
船舶が沈没した場合、その船舶に搭載されている燃料が外部に流出すると海洋が汚染されてしまうことになるため、沈没した船舶内にある燃料を回収することが必要となる。このような沈没船からの燃料回収は、通常、船舶の船底外板にドリル装置を固定して、船底外板及び燃料タンクに穴を開設し、この穴に燃料吸引のためのノズルを挿入することにより行われる（特許文献１）。しかしながら、船底外板及びタンクに穴を開ける穿孔作業を海中において、特にダイバーが到達できないような深海において行うことは非常に煩雑である。
【０００３】
そこでこれを解消するために、船舶に予め燃料回収用の管継手部材を取り付けておき、その船舶が沈没した際には、この管継手部材に対応する管継手部材を連結して、燃料を回収するようにすることが新たに検討されている。
【先行技術文献】
【特許文献】
【０００４】
【特許文献１】特開２０００−１９８４８６号公報
【発明の概要】
【発明が解決しようとする課題】
【０００５】
上述のような燃料回収用の管継手部材において、特にダイバーが到達できないような深海に船が沈没している場合には、管継手部材同士の連結作業を遠隔操作探査機によって行う必要がある。遠隔操作探査機による作業は、通常、ダイバーによる作業に比べて細かな動作が難しくまた時間がかかるため、管継手部材は連結作業ができるだけ容易に行えるものであることが望まれる。
【０００６】
そこで本発明は、雄型管継手部材との連結作業がより容易に行えるようにした雌型管継手部材、及び該雌型管継手部材とそれに連結される雄型管継手部材とからなる管継手を提供することを目的とする。
【課題を解決するための手段】
【０００７】
すなわち本発明は、
対応する雄型管継手部材に取り外し可能に連結される雌型管継手部材であって、
前端開口、後端開口、該前端開口から後方に延在する挿入通路、及び該挿入通路から後方に延在して該後端開口にまで至る雌側流体通路を有する筒状の継手本体と、
該継手本体内に配置され、該雌側流体通路と該雄型管継手部材の雄側流体通路とを密封して連通するように該雄型管継手部材と密封係合する密封係合部と、
該継手本体内において該継手本体の長手軸線の方向で変位可能に配置された施錠子保持部材と、
該施錠子保持部材に保持され、該施錠子保持部材の内周面から内側に部分的に突出して該挿入通路内に挿入された雄型管継手部材が該挿入通路から抜け出るのを係止する施錠位置と、該施錠位置よりも該継手本体の径方向で外側に位置し該雄型管継手部材に対する係止を解除する施錠解除位置との間で変位可能とされた施錠子と、
該継手本体に対して該長手軸線の方向で変位可能に配置されて該施錠子を該施錠位置に拘束する施錠子拘束部材であって、該施錠子を該施錠位置に拘束した状態において、該施錠子に係止された雄型管継手部材が該密封係合部に密封係合していない仮連結位置から後方に変位して該施錠子を後方に押して該施錠子を介して該雄型管継手部材を後方に変位させて該雄型管継手部材を該密封係合部と密封係合した状態とする連結完了位置にまで変位可能とされた施錠子拘束部材と、
該継手本体に取り付けられ、該施錠子拘束部材を該仮連結位置と該連結完了位置との間で変位させる操作部材と、
を備える雌型管継手部材を提供する。
【０００８】
当該雌型管継手部材においては、対応する雄型管継手部材を施錠子で係止はしているが雄型管継手部材が密封係合部には密封係合していない仮連結状態としてから、操作部材の操作によって雄型管継手部材を密封係合部に密封係合させて連結完了状態とすることができるようになっている。すなわち、連結操作を２段階に分けて行うことができるようになっている。通常、管継手部材同士を密封係合するには、シール部材等からなる密封係合部を圧縮する程度の比較的に大きな外力を加えなければならず、雌型管継手部材内に雄型管継手部材を挿入して該雄型管継手部材を係止することと密封係合させることとを同時に行おうとすると、雌型管継手部材を雄型管継手部材に対して正確に位置決めし且つ正確な方向に大きな力で押し込むようにしなければならなくなるが、このような作業は、特に操作が不自由となる海中においては、煩雑なものとなる。これに対して当該雌型管継手部材においては、密封係合させる操作が雄型管継手部材に対して位置決めをする仮連結状態までの操作とは分離した独立した操作となっているため、より容易に連結操作を行うことが可能となる。
【０００９】
好ましくは、該操作部材が、該継手本体に枢動可能に取り付けられた操作レバーと、該操作レバーの枢動軸線から半径方向外側に離れた位置で該操作レバーに枢動可能に接続された第１端、及び該施錠子拘束部材に枢動可能に接続された第２端を有するリンク部材と、を備え、該操作レバーを所定の回転方向に回転操作することによって該リンク部材の該第２端が後方に変位して該施錠子拘束部材を該仮連結位置から該連結完了位置に変位させるようにすることができる。
【００１０】
操作部材をこのようなリンク機構とすることにより、仮連結状態から連結完了状態への操作をより小さな力で行うことが可能となる。
【００１１】
好ましくは、該操作レバーを該施錠子拘束部材が該仮連結位置から該連結完了位置に変位するまで該所定の回転方向に回転操作したときに、該リンク部材の該操作レバーに対する枢動軸線が、該操作レバーの該継手本体に対する枢動軸線と該リンク部材の該施錠子拘束部材に対する枢動軸線とを通る平面を超えて該平面の反対側に至るようにされていて、該連結完了位置にある該施錠子拘束部材に前方への力が作用したときに、該操作レバーに該所定の回転方向に向かう力が作用するようにすることができる。
【００１２】
このような構成により、連結完了状態において当該雌型管継手部材に雄型管継手部材から引き離されるような外力が作用した場合にも、施錠子拘束部材が仮連結位置に向かって変位しないようになり、外力によって雌型管継手部材が雄型管継手部材から誤って離脱してしまうことを防止することが可能となる。
【００１３】
好ましくは、
該施錠子拘束部材が、該仮連結位置から前方に変位して該施錠子が該施錠解除位置に変位することを許容する施錠子解放位置に変位可能とされており、
該操作レバーを所定の回転方向に回転操作することによって該リンク部材の該第２端を前方に変位させて、該施錠子拘束部材を、該連結完了位置から該仮連結位置に変位させ、さらに該所定の回転方向に回転操作することにより該施錠解除位置にまで変位させるようにすることができる。
【００１４】
このような構成により、操作レバーの同一方向での回転操作のみによって、連結完了状態から連結を解除できる状態にまで操作することが可能となり、特に連結解除時の作業性が大きく向上する。
【００１５】
好ましくは、該施錠子保持部材が該施錠子拘束部材に対して後方に変位したときに該施錠子拘束部材による該施錠子の拘束が解除されて、該施錠子が該施錠解除位置に変位することが許容されるようにすることができる。
【００１６】
このような構成により、当該雌型管継手部材の挿入通路に雄型管継手部材が挿入されたときに、雄型管継手部材が施錠子に係合して該施錠子を介して施錠子保持部材を後方に変位させて、雄型管継手部材を連結可能な状態とすることができる。これにより、挿入通路内に雄型管継手部材を挿入するだけで仮連結状態とすることが可能となり、連結操作がより簡易になる。
【００１７】
好ましくは、
該継手本体が、外側筒状部材と、該外側筒状部材内において該外側筒状部材に対して該長手軸線の方向で変位可能に配置された内側筒状部材と、該内側筒状部材を該外側筒状部材に対して前方に付勢するスプリングとを有し、
該密封係合部が該内側筒状部材に配置されているようにすることができる。
【００１８】
このような構成により、連結完了状態にあるときに、密封係合部がスプリングの付勢力によって雄型管継手部材に押しつけられるようにすることができるため、密封係合状態をより確実に維持することが可能となる。
【００１９】
好ましくは、該施錠子保持部材を前方に付勢して該施錠子を該施錠子拘束部材に押しつけるようにするスプリングをさらに備えるようにすることができる。
【００２０】
また本発明は、
上述のいずれかの雌型管継手部材と、
該雌型管継手部材に取り外し可能に連結される雄型管継手部材と、
を備える管継手を提供する。
【００２１】
好ましくは、
該雄型管継手部材が、該雌側流体通路と流体連通する雄側流体通路を開閉する弁体を有しており、
該施錠子拘束部材が該仮連結位置にあって該雄型管継手部材が該密封係合部に密封係合していないときには、該弁体が該雄側流体通路を閉止する閉止位置となり、
該施錠子拘束部材が該連結完了位置に変位して該雄型管継手部材が該密封係合部に密封係合したときには、該雌型管継手部材が該弁体を押して該弁体が該雄側流体通路を開放する開放位置に変位するようにすることができる。
【００２２】
以下、本発明に係る管継手の実施形態を添付図面に基づき説明する。
【図面の簡単な説明】
【００２３】
【図１】本発明の実施形態に係る管継手の使用状態を示す概略図である。
【図２Ａ】本発明の第１の実施形態に係る管継手の側面断面図である。
【図２Ｂ】図２Ａの管継手の側面外観図である。
【図２Ｃ】図２ＢのII−II線における平面部分断面図である。
【図３】図２Ａの管継手の連結途中の状態を示す側面断面図である。
【図４Ａ】図２Ａの管継手の仮連結状態を示す側面断面図である。
【図４Ｂ】図４Ａの管継手の側面外観図である。
【図４Ｃ】図４ＢのIV−IV線における平面部分断面図である。
【図５】仮連結状態において雌型管継手部材が雄型管継手部材に対して傾動した状態を示す側面断面図である。
【図６Ａ】図２Ａの管継手の連結完了状態を示す側面断面図である。
【図６Ｂ】図６Ａの管継手の側面外観図である。
【図６Ｃ】図６ＢのVI−VI線における平面部分断面図である。
【図７Ａ】図２Ａの管継手の離脱途中の状態を示す側面断面図である。
【図７Ｂ】図７Ａの管継手の側面外観図である。
【図７Ｃ】図７ＢのVII−VII線における平面部分断面図である。
【図８】本発明の第２の実施形態に係る雄型管継手部材の一部を示す側面断面図である。
【図９】図８の雄型管継手部材の弁体が第２位置となった状態を示す側面断面図である。
【発明を実施するための形態】
【００２４】
本発明の実施形態に係る管継手１０は、図１に示すように、船舶１のタンク２に連通する通気管３の途中に挿入して取り付けられる雄型管継手部材１２と、この雄型管継手部材１２に取り外し可能に連結される雌型管継手部材１４とからなる。
【００２５】
第１の実施形態に係る雄型管継手部材１２は、図２Ａに示すように、雌型管継手部材１４内に挿入される連結部１６と、連結部１６に形成されている第１雄側流体通路１８ａ、並びに第１雄側流体通路１８ａに対して略直角に延びて連通する上方の第２雄側流体通路１８ｂ及び下方の第３雄側流体通路１８ｃからなる雄側流体通路１８を有する雄型管継手本体２０と、雄型管継手本体２０内に配置された弁体２２とを備える。連結部１６の外周面２４には、径方向外側に突出した係止突起２６が形成され、さらに係止突起２６の後方（図で見て右方）に離れた位置において後方に向かって拡径する傾斜ガイド面２８ａと、傾斜ガイド面２８ａの後方に連接して連結部１６の長手軸線Ｌと平行に延在する平行ガイド面２８ｂとからなるガイド部２８が形成されている。
【００２６】
弁体２２は、第１弁３０と第２弁３２とこれら第１及び第２弁３０、３２を保持する弁保持部３４とからなる。弁体２２は、雄型管継手本体２０に対して枢動軸３６の周りで枢動可能に取り付けられており、図２Ａに示すように第１弁３０が第１雄側流体通路１８ａの弁座部３８に係合して第１雄側流体通路１８ａを閉止するとともに第２雄側流体通路１８ｂと第３雄側流体通路１８ｃとを連通させる第１位置（第１雄側流体通路１８ａに対する閉止位置）と、図６Ａに示すように第２弁３２が第２雄側流体通路１８ｂの弁座部４０に係合して第２雄側流体通路１８ｂを閉止するとともに第１雄側流体通路１８ａと第３雄側流体通路１８ｃとを連通させる第２位置（第１雄側流体通路１８ａに対する開放位置）との間で変位可能となっている。弁体２２は、図示しないスプリングによって第１位置に向かって付勢されている。従って、通常の状態においては、弁体２２はスプリングの付勢力によって第１位置に保持されて、第１雄側流体通路１８ａを閉止する。第１弁３０は、円板状の部材であり、弁体２２が第１位置（図２Ａ）にあるときに第１雄側流体通路１８ａに対して直交する位置となる。同様に第２弁３２は、円板状の部材であり、弁体２２が第２位置（図６Ａ）にあるときに第２雄側流体通路１８ｂに対して直交する位置となる。第２雄側流体通路１８ｂの弁座部４０は、拡径した内周面４０ａとそれに直交する当接面４０ｂとからなっており、弁体２２が第２位置となって第２弁３２が弁座部４０に係合したときに、第２弁３２の外周面３２ａが弁座部４０の内周面４０ａと平行となり且つ隣接するようになっている。
【００２７】
雄型管継手部材１２は、図２Ｂ及び図２Ｃに示すように、雄型管継手本体２０の外部に配置された外部弁操作部材４２を備える。この外部弁操作部材４２は、弁体２２の枢動軸３６に固定されており、弁体２２とともに枢動するようになっている。外部弁操作部材４２の図で見て左方の外周面４２ａはカム面となっており、雄型管継手部材１２と雌型管継手部材１４とが連結されるときに、雌型管継手部材１４の前端面４４がこのカム面に係合して、図６Ｂに示すように外部弁操作部材４２を図で見て反時計回りに枢動させる。そうすると、弁体２２も連動して枢動し、図６Ａに示す第２位置となる。
【００２８】
雌型管継手部材１４は、図２Ａに示すように、前端開口４６から後方（図で見て左方）に延在する挿入通路４８、及び挿入通路４８からさらに後方に延在して後端開口５０にまで至る雌側流体通路５２を有する筒状の雌型管継手本体（継手本体）５４と、雌型管継手本体５４内において長手軸線Ｍの方向で変位可能に配置されて施錠子５６を保持している施錠子保持部材５８と、雌型管継手本体５４内において長手軸線Ｍの方向で変位可能に配置されて施錠子５６に係合している施錠子拘束部材６０とを備える。施錠子保持部材５８は、スプリング６２によって前方（図で見て右方）に付勢され、その前端面５８ａが雌型管継手本体５４の保持部材係止面６４に係合した初期位置となっている。雌型管継手本体５４は、前端開口４６及び後端開口５０を有する外側筒状部材５４ａと、外側筒状部材５４ａ内において長手軸線Ｍの方向で変位可能に配置されていて雌側流体通路５２の一部を構成している内側筒状部材５４ｂと、外側筒状部材５４ａと内側筒状部材５４ｂとの間に設定されて内側筒状部材５４ｂを外側筒状部材５４ａに対して前方に付勢するスプリング５４ｃとを有する。内側筒状部材５４ｂの前端部５４ｄには、後述するように雄型管継手部材１２の前端面１２ａと密封係合する密封係合部としてのシール部材６６が取り付けられている。
【００２９】
施錠子保持部材５８に保持されている施錠子５６は、図２Ａに示すように施錠子保持部材５８の内周面５８ｂから内側に部分的に突出した施錠位置に施錠子拘束部材６０によって拘束され、この施錠子拘束部材６０による拘束が解除されると図３に示すように施錠位置よりも径方向外側に位置する施錠解除位置に変位可能となる。
【００３０】
雌型管継手部材１４はさらに、雌型管継手本体５４に固定された枢動軸６８に対して枢動可能に取り付けられた操作レバー７０と、操作レバー７０と施錠子拘束部材６０とを接続するリンク部材７２とからなる操作部材が取り付けられている。リンク部材７２は、その後端（第１端）７２ａが操作レバー７０の枢動軸６８から該枢動軸６８の放射方向外側に離れた位置で枢動軸７４によって操作レバー７０に枢動可能に接続され、その前端（第２端）７２ｂが施錠子拘束部材６０に固定された枢動軸７８に対して枢動可能に取り付けられている。この操作レバー７０を回転操作することにより、リンク部材７２を介して、施錠子拘束部材６０を後述するように長手軸線Ｍの方向で変位させることができる。
【００３１】
雌型管継手部材１４を雄型管継手部材１２に連結する際には、雌型管継手部材１４の操作レバー７０を図２Ｃに示す中間位置として、施錠子拘束部材６０を施錠子拘束位置としておく。このとき、施錠子保持部材５８は、スプリング６２によって前方に付勢され、その前端面５８ａが雄型管継手本体２０の保持部材係止面６４に係合した初期位置となっている。また、施錠子保持部材５８に保持された施錠子５６は、施錠子拘束部材６０の傾斜した施錠子係合面６０ａによって径方向内側に押圧されて、施錠子保持部材５８の内周面５８ｂから内側に部分的に突出した施錠位置に拘束されている。
【００３２】
この状態で雌型管継手部材１４の挿入通路４８内に雄型管継手部材１２の連結部１６が挿入されていくと、連結部１６の外周面２４に形成された係止突起２６が施錠位置にある施錠子５６に係合する。施錠子５６は雄型管継手部材１２の係止突起２６によって後方に押され、施錠子保持部材５８とともにスプリング６２を圧縮させながら後方に変位する。施錠子保持部材５８が施錠子拘束部材６０に対して後方に変位すると、図３に示すように、施錠子拘束部材６０による拘束が解除されて施錠子５６は係止突起２６に押されて径方向外側に変位して施錠解除位置となる。そうすると、雄型管継手部材１２の係止突起２６は、施錠子５６を通過することができるようになる。係止突起２６が施錠子５６を通過すると、図４Ａに示すように、施錠子５６は施錠子保持部材５８とともにスプリング６２の付勢力によって元の初期位置に戻され、施錠子５６は再び施錠子拘束部材６０によって施錠位置に拘束される。施錠子５６が施錠位置となると、雄型管継手部材１２の係止突起２６は施錠子５６により係止されて、雄型管継手部材１２が雌型管継手部材１４の挿入通路４８から抜け出せない状態となる。このとき、雌型管継手部材１４と雄型管継手部材１２とは、互いに引き離すことはできないが雌側流体通路５２と第１雄側流体通路１８ａとは密封して連通はしていない仮連結状態となっている。
【００３３】
仮連結状態においては、施錠子保持部材５８の内周面５８ｂと係止突起２６とは接触しているが、雌型管継手本体５４の前端の内周面７６と雄型管継手部材１２の係止突起２６から後方の外周面２４との間には隙間が形成された状態となる。これにより、図５に示すように、雌型管継手部材１４は、雄型管継手部材１２の長手軸線Ｌに対して傾動することが可能となる。すなわち、雌型管継手部材１４を雄型管継手部材１２に対して仮連結位置とする際には、雌型管継手部材１４の向きが雄型管継手部材１２に対してある程度傾いた状態でも雄型管継手部材１２を挿入通路４８に受け入れることができるようになっている。
【００３４】
仮連結状態とした後に操作レバー７０のハンドル７０ａを前方に変位させて操作レバー７０を図４Ｃで見て時計回り（第１回転方向）に図６Ｃの連結保持位置にまで枢動させると、図６Ａに示すように、施錠子拘束部材６０がリンク部材７２を介して後方に変位される。このとき施錠子５６は、施錠子拘束部材６０の施錠子係合面６０ａにより半径方向内側に押圧されるとともに前方からも支持されているため、施錠子拘束部材６０が後方に変位するのにともなって施錠子５６も後方に変位する。そうすると、施錠子５６を保持している施錠子保持部材５８、及び施錠子５６に係止されている雄型管継手部材１２も一体となってともに後方に変位する。施錠子拘束部材６０が、図４Ａの仮連結位置から図６Ａの連結完了位置にまで変位すると、雄型管継手部材１２の前端面１２ａがシール部材６６に当接して密封係合した状態となる。このとき内側筒状部材５４ｂは、スプリング５４ｃを圧縮してやや後方に変位した状態となっている。したがって、シール部材６６は、スプリング５４ｃの付勢力によって雄型管継手部材１２の前端面１２ａに押しつけられ、前端面１２ａとの密封係合が適切に維持されるようになっている。これにより、雌側流体通路５２と第１雄側流体通路１８ａとがシール部材６６を介して密封して連通した状態となり、当該管継手１０は連結完了状態となる。
【００３５】
仮連結状態から連結完了状態に至る過程において、雌型管継手部材１４はその前端部７５の内周面７６が雄型管継手部材１２のガイド部２８に摺動係合することにより、雄型管継手部材１２の長手軸線Ｌに対して雌型管継手部材１４の長手軸線Ｍが整合するように案内される。したがって、仮連結状態において図５に示すように雌型管継手部材１４が雄型管継手部材１２に対して傾動している場合であっても、連結完了状態に変位する過程において、まず内周面７６がガイド部２８の傾斜ガイド面２８ａに係合して摺動することにより、雌型管継手部材１４は徐々にその向きが雄型管継手部材１２の長手軸線Ｌに整合するように案内されていき、連結完了状態（図６Ａ）となると内周面７６はガイド部２８の平行ガイド面２８ｂによってその向きが雄型管継手部材１２の長手軸線Ｌと整合した状態で拘束されるようになる。雌型管継手部材１４と雄型管継手部材１２との向きが整合することにより、雌型管継手部材１４のシール部材６６と雄型管継手部材１２の前端面１２ａとが平行に対向した状態で接触することとなり、適切に密封係合した状態とすることができる。
【００３６】
また、図４Ｂ及び図４Ｃに示すように仮連結状態においては雄型管継手部材１２の外部弁操作部材４２は雌型管継手部材１４と接触しないが、連結完了状態に向かうにしたがって、外周面４２ａが雌型管継手本体５４の前端部７５と係合して押圧されて、図６Ｂ及び図６Ｃに示すように、図で見て反時計回りに枢動した状態となる。これにともない、弁体２２も第１位置から第２位置に枢動して、図６Ａに示すように第２雄側流体通路１８ｂが閉止されるとともに第１雄側流体通路１８ａと第３雄側流体通路１８ｃとが連通した状態となる。
【００３７】
さらに、仮連結状態から連結完了状態に至る過程において、リンク部材７２の後端７２ａの操作レバー７０に対する枢動軸７４は、操作レバー７０の雌型管継手部材１４に対する枢動軸６８とリンク部材７２の前端７２ｂの施錠子拘束部材６０に対する枢動軸７８とを通る平面（図面上で長手軸線Ｍ上を奥行き方向に広がる平面）を超えて図６Ｃで見て下側から上側に至る。これにより、連結完了状態においては、雌型管継手部材１４が雄型管継手部材１２から引き離されるような力を受けて施錠子５６を介して施錠子拘束部材６０に雌型管継手本体５４に対して前方への力が作用したときに、操作レバー７０には、リンク部材７２を介して、仮連結状態から連結完了状態とするときと同方向（図６Ｃで見て時計回り）に向かう力が作用するようになる。したがって、雌型管継手部材１４に雄型管継手部材１２から引き離されるような力が作用しても、それによって施錠子拘束部材６０が仮連結位置に戻ることがない。またこのときに、リンク部材７２に取り付けられたボールプランジャ７７が操作レバー７０に形成された溝７９（図２Ｃ、図４Ｃ）に嵌まり、操作レバー７０の位置が保持されるようにもなっている。
【００３８】
このようにして当該管継手１０が図６Ａ乃至図６Ｃに示す連結完了状態となると、雌側流体通路５２と船舶１のタンク２につながる第３雄側流体通路１８ｃとが流体連通した状態となり、タンク２内に残された燃料を当該管継手１０を介して回収することが可能となる。
【００３９】
連結を解除する際には、まず操作レバー７０にボールプランジャ７７が溝７９から外れる程度の力を図６Ｃの連結保持位置から図で見て反時計回りに付加し操作レバー７０を回転操作して図４Ｃの中間位置に戻して仮連結状態とする。操作レバー７０をさらに同方向に回転操作して図７Ｃに示す連結解除位置とすると、施錠子拘束部材６０は図７Ａに示すように前方に変位して施錠子解放位置となる。このとき施錠子保持部材５８は、その前端面５８ａが雄型管継手本体２０の保持部材係止面６４に係合しているため初期位置に保持される。施錠子拘束部材６０が施錠子解放位置となると、施錠子拘束部材６０による施錠子５６の拘束が解除されて、施錠子５６は施錠解除位置に変位することが可能な状態となる。この状態で雌型管継手部材１４を雄型管継手部材１２から引き抜くようにすれば、施錠子５６は雄型管継手部材１２の係止突起２６に押されて施錠解除位置となり、雌型管継手部材１４と雄型管継手部材１２との間の連結は解除されて、雌型管継手部材１４は雄型管継手部材１２から離脱できるようになる。
【００４０】
雌型管継手本体５４の前端部７５には、施錠子拘束部材６０を付勢する付勢部材としてのプランジャー８０が配置されており、施錠子拘束部材６０が施錠解除位置に変位するとこのプランジャー８０が押し込まれ施錠子拘束部材６０に対して後方への付勢力を加える。したがって、操作レバー７０のハンドル７０ａに加えた力を解除すると、施錠子拘束部材６０はプランジャー８０の付勢力によって後方に変位され、これにともない操作レバー７０は中間位置に戻る。また、プランジャー８０が配置されていることにより、操作レバー７０を連結保持位置（図６Ｃ）から反時計回りに回転操作して中間位置（図４Ｃ）となったときに、一端プランジャー８０によってその動きが止められるため、操作レバー７０が連結保持位置（図６Ｃ）から中間位置（図４Ｃ）を超えて一気に連結解除位置（図７Ｃ）にまで回転されることを防止し、一端中間位置で止まるようになる。
【００４１】
本発明の第２の実施形態に係る雄型管継手部材１１２は、図８及び図９に示すように主として弁体１２２の構成が第１の実施形態に係る雄型管継手部材１２とは異なる。具体的には、第１弁１３０と第２弁１３２とがそれぞれ円錐状に湾曲した形状を有し、その頂部において接続部１３１により接続されて一体の部材とされている。第１及び第２弁１３０、１３２は、この接続部１３１において弁保持部１３４にがたつき（遊び）を有した状態で保持されている。弁体１２２が第１位置（図８）から第２位置（図９）に枢動して、第２弁１３２が第２雄側流体通路１１８ｂに形成された弁座部１４０に係合すると、第２弁１３２は弁座部１４０に倣って弁保持部１３４に対してやや姿勢を変化させる。このように第１及び第２弁１３０，１３２が弁保持部１３４に対して遊びがあることにより、弁体１２２の寸法や、外部弁操作部材１４２が押し込まれる距離に誤差が生じたときにもそれを吸収することが可能となる。また、弁座部１４０の内周面１４０ａは、第２弁１３２の外周面１３２ａに合せて斜めに形成されており、弁体１２２が第２位置となって当接面１４０ｂに接触したときに第２弁１３２の外周面１３２ａと弁座部１４０の内周面１４０ａとが平行となって隣接するようになっている。これにより、第２雄側流体通路１１８ｂをより確実に閉止することが可能となる。なお、当該実施形態においては、第１弁１３０と第２弁１３２とを弁保持部１３４に対してがたつきを持って取り付けることにより遊びを設けているが、上記誤差を吸収するためには、外部弁操作部材１４２と第１弁１３０または第２弁１３２との間に遊びが形成されれば良いため、例えば、外部弁操作部材１４２と弁保持部１３４との間にがたつきを設けるようにしてもよいし、弁保持部１３４を可撓性の材料により構成して該弁保持部１３４が撓むことにより第１弁１３０または第２弁１３２が外部弁操作部材１４２に対して変位して遊びを構成するようにしてもよい。
【００４２】
上記実施形態においては、本発明に係る管継手を沈没船の燃料回収のための管継手１０として説明をしてきたが、本発明に係る管継手は例えば工場における配管接続などの他の用途で使用するようにしても良い。したがって、雄型管継手部材の弁体は三方弁として機能するのではなく、単に第１雄側流体通路を開閉するようにしてもよいし、雄側流体通路を一つの流体通路としても良い。また、船舶の燃料は粘度が高いため、上記実施形態における管継手においては雌側流体通路及び雄側流体通路内に障害となるものができるだけないように設計されている。しかしながら、他の用途に用いる場合には、例えば雄側流体通路内で弁体を押して変位させるような構成とすることもできる。また、施錠子拘束部材を操作する操作部材として枢動回転する操作レバーではなく、例えば長手軸線方向に直道するなどの他の態様とすることも可能である。
【符号の説明】
【００４３】
船舶１；タンク２；通気管３；
管継手１０；雄型管継手部材１２；前端面１２ａ；雌型管継手部材１４；連結部１６；雄側流体通路１８；第１雄側流体通路１８ａ；第２雄側流体通路１８ｂ；第３雄側流体通路１８ｃ；雄型管継手本体２０；弁体２２；（連結部１６の）外周面２４；係止突起２６；ガイド部２８；傾斜ガイド面２８ａ；平行ガイド面２８ｂ；第１弁３０；第２弁３２；外周面３２ａ；弁保持部３４；枢動軸３６；（第１雄側流体通路１８ａの）弁座部３８；（第２雄側流体通路１８ｂの）弁座部４０；内周面４０ａ；当接面４０ｂ；外部弁操作部材４２；外周面４２ａ；前端面４４；前端開口４６；挿入通路４８；後端開口５０；雌側流体通路５２；雌型管継手本体５４；外側筒状部材５４ａ；内側筒状部材５４ｂ；スプリング５４ｃ；前端部５４ｄ；施錠子５６；施錠子保持部材５８；前端面５８ａ；内周面５８ｂ；施錠子拘束部材６０；施錠子係合面６０ａ；スプリング６２；保持部材係止面６４；シール部材６６；枢動軸６８；操作レバー７０；ハンドル７０ａ；リンク部材７２；後端（第１端）７２ａ；前端（第２端）７２ｂ；枢動軸７４；前端部７５；内周面７６；ボールプランジャ７７；枢動軸７８；溝７９；プランジャー８０；
雄型管継手部材１１２；弁体１２２；第１弁１３０；接続部１３１；第２弁１３２；外周面１３２ａ；弁保持部１３４；第２雄側流体通路１１８ｂ；弁座部１４０；内周面１４０ａ；当接面１４０ｂ；外部弁操作部材１４２；
（雄型管継手部材の）長手軸線Ｌ；（雌型管継手部材の）長手軸線Ｍ
【図１】
0006300848.tif 000002
【図２Ａ】
0006300848.tif 000003
【図２Ｂ】
0006300848.tif 000004
【図２Ｃ】
0006300848.tif 000005
【図３】
0006300848.tif 000006
【図４Ａ】
0006300848.tif 000007
【図４Ｂ】
0006300848.tif 000008
【図４Ｃ】
0006300848.tif 000009
【図５】
0006300848.tif 000010
【図６Ａ】
0006300848.tif 000011
【図６Ｂ】
0006300848.tif 000012
【図６Ｃ】
0006300848.tif 000013
【図７Ａ】
0006300848.tif 000014
【図７Ｂ】
0006300848.tif 000015
【図７Ｃ】
0006300848.tif 000016
【図８】
0006300848.tif 000017
【図９】
0006300848.tif 000018